(57)【要約】【課題】携帯電話機などの携帯端末装置に乗車券としての非接触式ＩＣカードを搭載した場合に、携帯端末装置の使用時に自動改札装置を通過する際、非接触式ＩＣカードと自動改札装置との通信性能を著しく向上させることできる携帯端末装置を提供する。【解決手段】携帯電話機としての携帯端末装置に乗車券としての非接触式ＩＣカード機能（非接触式ＩＣカード）を搭載し、携帯端末装置使用時に自動改札装置を通過する際、通過する手前で自動改札装置からの送信キャリアを検知することにより、携帯電話機能を一時中断（あるいは、停止）し、非接触式ＩＣカード機能（非接触式ＩＣカード）と自動改札装置との通信を優先させる。【選択図】　　図１
2004048251.tif 000002
【特許請求の範囲】
【請求項１】
第１の外部装置との間で第１の所定周波数帯域の電波を用いて無線による通信を行なうことにより所定の情報処理を行なう携帯端末機能部と、
前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカード機能部と、
当該携帯端末装置が前記第２の外部装置に対し所定距離まで接近したことを検出する検出手段と、
この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカード機能部と第２の外部装置との通信を優先させる制御手段と、
を具備したことを特徴とする携帯端末装置。
【請求項２】
前記非接触式ＩＣカード機能部は、前記第２の外部装置との間で無線による通信を行なうためのアンテナを有し、
前記検出手段は、このアンテナを用いて、前記第２の外部装置から非接触式ＩＣカード機能部との間で無線による通信を行なうために出力される送信キャリアを検知することにより、当該携帯端末装置が前記第２の外部装置に対し所定距離まで接近したことを検出することを特徴とする請求項１記載の携帯端末装置。
【請求項３】
前記検出手段は、前記第２の外部装置から非接触式ＩＣカード機能部との間で無線による通信を行なうために出力される送信キャリアを検知するためのピックアップコイルを有し、このピックアップコイルにより前記送信キャリアを検知することにより、当該携帯端末装置が前記第２の外部装置に対し所定距離まで接近したことを検出することを特徴とする請求項１記載の携帯端末装置。
【請求項４】
前記携帯端末機能部と前記非接触式ＩＣカード機能部とは互いに情報の授受を行なうことが可能で、前記非接触式ＩＣカード機能部で得られた情報は前記携帯端末機能部において閲覧可能なことを特徴とする請求項１記載の携帯端末装置。
【請求項５】
第１の外部装置との間で第１の所定周波数帯域の電波を用いて無線による通信を行なうことにより所定の情報処理を行なう携帯端末機能部と、
前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカードが着脱可能にセットされ、このセットされた非接触式ＩＣカードとの間で無線による通信を行なうことにより所定の情報処理を行なう非接触式ＩＣカードリーダライタ機能部と、
当該携帯端末装置が前記第２の外部装置に対し所定距離まで接近したことを検出する検出手段と、
この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカードと第２の外部装置との通信を優先させる制御手段と、
を具備したことを特徴とする携帯端末装置。
【請求項６】
前記非接触式ＩＣカードリーダライタ機能部は、前記非接触式ＩＣカードとの間で無線による通信を行なうためのアンテナを有し、
前記検出手段は、このアンテナを用いて、前記第２の外部装置から非接触式ＩＣカード機能部との間で無線による通信を行なうために出力される送信キャリアを検知することにより、当該携帯端末装置が前記第２の外部装置に対し所定距離まで接近したことを検出することを特徴とする請求項５記載の携帯端末装置。
【請求項７】
第１の外部装置との間で第１の所定周波数帯域の電波を用いて無線による通信を行なうことにより所定の情報処理を行なうもので、かつ、前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカードが着脱可能な携帯端末機能部と、
当該携帯端末装置が前記第２の外部装置に対し所定距離まで接近したことを検出する検出手段と、
この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカードと第２の外部装置との通信を優先させる制御手段と、
を具備したことを特徴とする携帯端末装置。
【請求項８】
前記検出手段は、前記第２の外部装置から非接触式ＩＣカードとの間で無線による通信を行なうために出力される送信キャリアを検知するためのピックアップコイルを有し、このピックアップコイルにより前記送信キャリアを検知することにより、当該携帯端末装置が前記第２の外部装置に対し所定距離まで接近したことを検出することを特徴とする請求項５または請求項７記載の携帯端末装置。
【請求項９】
前記第２の外部装置は非接触式ＩＣカード対応の自動改札装置であり、前記携帯端末機能部は携帯電話機能部であることを特徴とする請求項１、請求項５、請求項７のいずれかに記載の携帯端末装置。
【請求項１０】
前記第２の外部装置は非接触式ＩＣカード対応のコンピュータであり、前記携帯端末機能部は携帯電話機能部であることを特徴とする請求項１、請求項５、請求項７のいずれかに記載の携帯端末装置。
【発明の詳細な説明】
【０００１】
【発明の属する技術分野】
本発明は、非接触式ＩＣカード機能を搭載した携帯電話機や携帯情報機器（ＰＤＡ）などの携帯端末装置に関する。
また、本発明は、非接触式ＩＣカードリーダライタ機能を搭載した携帯電話機や携帯情報機器などの携帯端末装置に関する。
また、本発明は、非接触式ＩＣカードを着脱可能とした携帯電話機や携帯情報機器などの携帯端末装置に関する。
【０００２】
【従来の技術】
従来、たとえば、携帯電話機やＰＤＡと称される携帯情報機器などの携帯端末装置と、自動改札装置を通過するための乗車券としての非接触式ＩＣカード（いわゆる無線カード）は別々に持たなければならなく、また、携帯電話機を使用しながら自動改札装置を通過する頻度も年々増加している。
【０００３】
【発明が解決しようとする課題】
従来、非接触式ＩＣカードと自動改札装置との通信は、１３．５６ＭＨｚ帯の周波数を有する電波を使用してデータの送受信を行なっている。また、携帯電話機と携帯電話基地局との通信は、８００ＭＨｚ帯あるいは１．５ＧＨｚ帯の周波数を有する電波を使用している。
【０００４】
携帯電話機の使用時に自動改札装置を通過する際、別に所持する非接触式ＩＣカードを取出して自動改札装置にかざして通信を行ない、通過していたが、携帯電話機使用時の周波数帯域（８００Ｍあるいは１．５ＧＨｚからの高調波）は、非接触式ＩＣカードと自動改札装置との通信においては必要の無い帯域であり、また、この不必要な帯域電波の影響により、非接触式ＩＣカードと自動改札装置との通信性能が著しく低下することがある。
したがって、このような携帯端末装置使用時の不要な周波数帯域の電波を発生させない、または受取らないことが望ましく、非接触式ＩＣカードと自動改札装置との通信を優先させなければならない。
【０００５】
そこで、本発明は、たとえば、携帯電話機などの携帯端末装置に乗車券としての非接触式ＩＣカードを搭載した場合に、携帯端末装置の使用時に自動改札装置を通過する際、携帯端末機能を一時中断あるいは停止し、非接触式ＩＣカードと自動改札装置との通信を優先させることで、非接触式ＩＣカードと自動改札装置との通信性能を著しく向上させることできる携帯端末装置を提供することを目的とする。
【０００６】
【課題を解決するための手段】
本発明の携帯端末装置は、第１の外部装置との間で第１の所定周波数帯域の電波を用いて無線による通信を行なうことにより所定の情報処理を行なう携帯端末機能部と、前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカード機能部と、当該携帯端末装置が前記第２の外部装置に対し所定距離まで接近したことを検出する検出手段と、この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカード機能部と第２の外部装置との通信を優先させる制御手段とを具備している。
【０００７】
また、本発明の携帯端末装置は、第１の外部装置との間で第１の所定周波数帯域の電波を用いて無線による通信を行なうことにより所定の情報処理を行なう携帯端末機能部と、前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカードが着脱可能にセットされ、このセットされた非接触式ＩＣカードとの間で無線による通信を行なうことにより所定の情報処理を行なう非接触式ＩＣカードリーダライタ機能部と、当該携帯端末装置が前記第２の外部装置に対し所定距離まで接近したことを検出する検出手段と、この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカードと第２の外部装置との通信を優先させる制御手段とを具備している。
【０００８】
さらに、本発明の携帯端末装置は、第１の外部装置との間で第１の所定周波数帯域の電波を用いて無線による通信を行なうことにより所定の情報処理を行なうもので、かつ、前記第１の外部装置とは異なる第２の外部装置との間で前記第１の所定周波数帯域の電波の影響を受け易い第２の所定周波数帯域の電波を用いて無線による通信を行なうことにより所定の情報処理を行なう非接触式ＩＣカードが着脱可能な携帯端末機能部と、当該携帯端末装置が前記第２の外部装置に対し所定距離まで接近したことを検出する検出手段と、この検出手段により当該携帯端末装置が前記第２の外部装置に対し所定距離まで接近したことが検出されると、前記携帯端末機能部の少なくとも無線通信機能を少なくとも一時中断させ、前記非接触式ＩＣカードと第２の外部装置との通信を優先させる制御手段とを具備している。
【０００９】
【発明の実施の形態】
以下、本発明の実施の形態について図面を参照して説明する。なお、以下の説明においては、携帯端末装置として例えば携帯電話機に適用した場合について説明する。
まず、第１の実施の形態について説明する。
図１は、第１の実施の形態に係る携帯端末装置の構成を概略的に示すものである。本携帯端末装置は、大きく分けて、第１の外部装置としての携帯電話基地局Ａとの間で８００ＭＨｚ帯あるいは１．５ＧＨｚ帯の周波数を有する電波（第１の所定周波数帯域の電波）を用いて無線による通信を行なうことにより通話処理などを行なう携帯電話機能部（携帯端末機能部）１１と、第２の外部装置としての鉄道機関における非接触式ＩＣカード対応の自動改札装置Ｂとの間で１３．５６ＭＨｚ帯の周波数を有する電波（第２の所定周波数帯域の電波）を用いて無線による通信を行なうことにより改札処理用データの授受を行なう非接触式ＩＣカード機能部２１とから構成されている。
【００１０】
携帯電話機能部１１は、携帯電話基地局Ａとの間で無線通信によるデータの送受信を行なうためのアンテナ１２、送受信データの変調および復調、各種データの表示、ダイヤルボタンなどのセンサなどを行なう制御部１３、各種データ処理や全体的な制御を行なうＣＰＵ１４、各種データを記憶するＥＥＰＲＯＭなどの不揮発性のメモリ１５、および、各部に動作電圧を供給するバッテリ１６から構成されている。
【００１１】
非接触式ＩＣカード機能部２１は、自動改札装置Ｂとの間でデータを送受信するための送受信アンテナ２２、送信データを変調したり、受信データを復調したりする変復調部２３、各種データ処理や全体的な制御を行なうＣＰＵ２４、各種データを記憶するＥＥＰＲＯＭなどの不揮発性のメモリ２５、送受信アンテナ２２で受信した自動改札装置Ｂから出力される送信キャリアを整流、平滑することにより安定化された直流電圧を生成して各部に動作電圧として供給する整流回路２６、および、整流回路２６から出力される直流電圧をあらかじめ設定された検出基準電圧と比較し、その比較結果を携帯電話機能部１１のＣＰＵ１４へ送るコンパレータ２７から構成されている。
【００１２】
なお、携帯電話機能部１１のバッテリ１６は、非接触式ＩＣカード機能部２１のコンパレータ２７に対しても動作電圧を供給するようになっている。これは、自動改札装置Ｂを通過する際に自動改札装置Ｂからの送信キャリアを事前に検知するため、コンパレータ２７を常に活性化された状態にしておく必要があるからである。
【００１３】
非接触式ＩＣカード機能部２１の送受信アンテナ２２は、たとえば、当該携帯端末装置の内部基板、あるいは、当該携帯端末装置本体ケースの内側あるいは近傍に実装される。また、非接触式ＩＣカード機能部２１を司るＣＰＵ２４および各種データを記憶するメモリ２５は、携帯電話機能部１１のＣＰＵ１４およびメモリ１５と独立の働きをする。
【００１４】
自動改札装置Ｂから非接触式ＩＣカード機能部２１との間で無線による通信を行なうために出力される送信キャリアを検知するピックアップコイルは、非接触式ＩＣカード機能部２１の送受信アンテナ２２と共用とし、この送受信アンテナ２２に誘起された送信キャリア信号は整流回路２６により直流電圧に変換される。この変換された直流電圧は、非接触式ＩＣカード機能部２１を動作させるための電源電圧として使用される。このように、自動改札装置Ｂからの送信キャリアから電源電圧を生成するため、バッテリ１６の使用時間の節約に繋がる。
【００１５】
また、整流回路２６から出力される直流電圧はコンパレータ２７に送られる。コンパレータ２７は、整流回路２６の出力電圧を事前に設定された検出基準電圧と比較し、検出基準電圧よりも高い直流電圧が発生したときに検出信号２８を発生させる。
【００１６】
すなわち、コンパレータ２７は、自動改札装置Ｂからの送信キャリアを送受信アンテナ２２を介して検知することにより、当該携帯端末装置が自動改札装置Ｂに対し所定距離まで接近したことを検出する検出手段を構成している。
【００１７】
コンパレータ２７から出力される検出信号２８は携帯電話機能部１１のＣＰＵ１４に送られる。ＣＰＵ１４は、検出信号２８を受取ると、動作プログラムの切換えを行なうことにより、携帯電話機能を一時的に中断（あるいは、停止）させて、非接触式ＩＣカード機能部２１と自動改札装置Ｂとの通信を優先させる。
【００１８】
コンパレータ２７における検出基準電圧は、非接触式ＩＣカード機能部２１が動作を開始する電源電圧よりも充分に小さい値で、かつ、自動改札装置Ｂの送信キャリアが発射される位置の手前で検知可能な電圧に設定することで、非接触式ＩＣカード機能部２１が活性化する前で、自動改札装置Ｂの送信キャリアが発射される位置の手前で送信キャリアを検知し、携帯電話機能を一時中断（あるいは、停止）させることが可能である。したがって、自動改札装置Ｂと非接触式ＩＣカード機能部２１との通信性能が著しく向上することになる。
【００１９】
このように、携帯電話機としての携帯端末装置に非接触式ＩＣカード機能を搭載し、非接触式ＩＣカード機能の使用時は携帯電話機能を一時中断させるようにしたものであり、非接触式ＩＣカード機能部２１にて自動改札装置Ｂとの間で処理された情報は、自動改札装置Ｂの通過時以外のときに携帯電話機能部１１を使用して、たとえば、自動改札装置Ｂの上位装置であるホスト装置とネットワークなどを介して通信することにより閲覧可能である。
【００２０】
なお、上記説明では、自動改札装置Ｂから出力される送信キャリアを検知するピックアップコイルとして、非接触式ＩＣカード機能部２１の送受信アンテナ２２を共用する場合について説明したが、専用のピックアップコイルを設けてもよい。
【００２１】
次に、第２の実施の形態について説明する。
図２は、第２の実施の形態に係る携帯端末装置の構成を概略的に示すものである。本携帯端末装置は、前述した第１の実施の形態において、非接触式ＩＣカード機能部２１のＣＰＵ２４およびメモリ２５を携帯電話機能部１１のＣＰＵ１４およびメモリ１５と共用にして、ＣＰＵ３４およびメモリ３５としたもので、その外は前述した第１の実施の形態（図１）と同様であるので、同一部分には同一符号を付してその説明は省略する。
【００２２】
ＣＰＵ３４およびメモリ３５は、上述したように非接触式ＩＣカード機能部２１と携帯電話機能部１１とで共用であり、全ての駆動用の電源電圧は携帯電話機能部１１のバッテリ１６から供給される。
【００２３】
なお、コンパレータ２７における検出基準電圧は、自動改札装置Ｂの送信キャリアが発射される位置の手前で検知可能な電圧に設定される。なぜならば、非接触式ＩＣカード機能部２１は、携帯電話機能部１１のバッテリ１６により動作するものであり、常に活性化された状態にあるからである。
【００２４】
このように、携帯電話機としての携帯端末装置に非接触式ＩＣカード機能を搭載し、非接触式ＩＣカード機能の使用時は携帯電話機能を一時中断させるようにし、かつ、非接触式ＩＣカード機能部２１と携帯電話機能部１１との通信は携帯端末装置の内部にて行なえるようにしたものであり、非接触式ＩＣカード機能部２１にて自動改札装置Ｂとの間で処理された情報は携帯電話機能部１１で閲覧可能である。
【００２５】
次に、第３の実施の形態について説明する。
図３は、第３の実施の形態に係る携帯端末装置の構成を概略的に示すものである。なお、前述した第１の実施の形態と同様な部分には同一符号を付してその説明は省略し、異なる部分についてだけ詳細に説明する。
【００２６】
図３において、本携帯端末装置は、大きく分けて、第１の実施の形態と同様な構成の携帯電話機能部１１と、非接触ＩＣカードリーダライタ機能部４１とから構成されている。非接触ＩＣカードリーダライタ機能部４１は、第２の外部装置としての鉄道機関における非接触式ＩＣカード対応の自動改札装置Ｂとの間で１３．５６ＭＨｚ帯の周波数を有する電波（第２の所定周波数帯域の電波）を用いて無線による通信を行なうことにより改札処理用データの授受を行なう非接触式ＩＣカード５１が着脱可能にセットされる。
【００２７】
非接触ＩＣカードリーダライタ機能部４１は、非接触式ＩＣカード５１との間でデータを送受信するための送受信アンテナ４２、データの送受信を制御する送受信部４３、送信データを変調したり、受信データを復調したりする変復調部４４、各種データ処理や全体的な制御を行なうＣＰＵ１４、各種データを記憶するＥＥＰＲＯＭなどの不揮発性のメモリ１５、送受信アンテナ４２で受信した自動改札装置Ｂから出力される送信キャリアを整流、平滑することにより直流電圧を生成して出力する整流回路４５、および、整流回路４５から出力される直流電圧をあらかじめ設定された検出基準電圧と比較し、その比較結果をＣＰＵ１４へ送るコンパレータ４７から構成されている。
【００２８】
なお、携帯電話機能部１１のバッテリ１６は、非接触式ＩＣカードリーダライタ機能部４１の各部に対しても動作電圧を供給するようになっている。また、非接触式ＩＣカードリーダライタ機能部４１の送受信アンテナ４２は、たとえば、当該携帯端末装置の内部基板、あるいは、当該携帯端末装置本体ケースの内側あるいは近傍に実装される。
【００２９】
ＣＰＵ３４およびメモリ３５は、上述したように非接触式ＩＣカード機能部２１と携帯電話機能部１１とで共用であり、全ての駆動用の電源電圧は携帯電話機能部１１のバッテリ１６から供給される。
【００３０】
非接触式ＩＣカード５１は、図４に示すように、基本的には前述した非接触式ＩＣカード機能部２１と同様な構成である。すなわち、非接触式ＩＣカード５１は、非接触式ＩＣカードリーダライタ機能部４１との間でデータを送受信するための送受信アンテナ５２、送信データを変調したり、受信データを復調したりする変復調部５３、各種データ処理や全体的な制御を行なうＣＰＵ５４、各種データを記憶するＥＥＰＲＯＭなどの不揮発性のメモリ５５、および、送受信アンテナ２２で受信した自動改札装置Ｂから出力される電力波を整流、平滑することにより安定化された直流電圧を生成して各部に動作電圧として供給する電源生成部５６から構成されている。
【００３１】
自動改札装置Ｂから非接触式ＩＣカード５１との間で無線による通信を行なうために出力される送信キャリアを検知するピックアップコイルは、非接触式ＩＣカードリーダライタ機能部４１の送受信アンテナ４２と共用とし、この送受信アンテナ４２に誘起された送信キャリア信号は整流回路４５により直流電圧に変換される。この変換された直流電圧はコンパレータ４６に送られる。コンパレータ４６は、整流回路４５の出力電圧を事前に設定された検出基準電圧と比較し、検出基準電圧よりも高い直流電圧が発生したときに検出信号４７を発生させる。
【００３２】
すなわち、コンパレータ４６は、自動改札装置Ｂからの送信キャリアを送受信アンテナ４２を介して検知することにより、当該携帯端末装置が自動改札装置Ｂに対し所定距離まで接近したことを検出する検出手段を構成している。
【００３３】
コンパレータ４６から出力される検出信号４７はＣＰＵ１４に送られる。ＣＰＵ１４は、検出信号４７を受取ると、動作プログラムの切換えを行なうことにより、携帯電話機能を一時的に中断（あるいは、停止）させて、非接触式ＩＣカード５１と自動改札装置Ｂとの通信を優先させる。
【００３４】
コンパレータ４６における検出基準電圧は、非接触式ＩＣカード５１が動作を開始する電源電圧よりも充分に小さい値に設定することで、非接触式ＩＣカード５１が活性化する前に送信キャリアを検知し、携帯電話機能を一時中断（あるいは、停止）させることが可能である。したがって、自動改札装置Ｂと非接触式ＩＣカード５１との通信性能が著しく向上することになる。
【００３５】
このように、携帯電話機としての携帯端末装置に非接触式ＩＣカードリーダライタ機能を搭載し、非接触式ＩＣカード５１の使用時は携帯電話機能を一時中断させるようにし、かつ、着脱可能な非接触式ＩＣカード５１との通信は携帯端末装置上で非接触にて行なうようにしたものであり、非接触式ＩＣカード５１にて自動改札装置Ｂとの間で処理された情報は、非接触式ＩＣカードリーダライタ機能部４１にて非接触式ＩＣカード５１と通信を行なうことにより、携帯電話機能部１１で閲覧可能である。また、非接触式ＩＣカード５１と非接触式ＩＣカードリーダライタ機能部４１との通信は、自動改札装置Ｂを通過するときは行なわない。
【００３６】
なお、上記説明では、自動改札装置Ｂから出力される送信キャリアを検知するピックアップコイルとして、非接触式ＩＣカードリーダライタ機能部４１の送受信アンテナ４２を共用する場合について説明したが、専用のピックアップコイルを設けてもよい。
【００３７】
次に、第４の実施の形態について説明する。
図５は、第４の実施の形態に係る携帯端末装置の構成を概略的に示すものである。なお、前述した各実施の形態と同様な部分には同一符号を付してその説明は省略し、異なる部分についてだけ詳細に説明する。
【００３８】
図５において、本携帯端末装置は、大きく分けて、第１の実施の形態と同様な構成の携帯電話機能部１１、自動改札装置Ｂから出力される送信キャリアを検知するためのピックアップコイル６１、ピックアップコイル６１で受信した送信キャリアを整流、平滑することにより直流電圧を生成して出力する整流回路６２、および、整流回路６２から出力される直流電圧をあらかじめ設定された検出基準電圧と比較し、その比較結果をＣＰＵ１４へ送るコンパレータ６３から構成されている。
【００３９】
なお、携帯電話機能部１１のバッテリ１６は、コンパレータ６３に対しても動作電圧を供給するようになっている。これは、自動改札装置Ｂを通過する際に自動改札装置Ｂからの送信キャリアを事前に検知するため、コンパレータ６３を常に活性化された状態にしておく必要があるからである。また、非接触式ＩＣカード５１は、たとえば、当該携帯端末装置の内部あるいは外部に対し着脱可能となっている。
【００４０】
ピックアップコイル６１は、たとえば、当該携帯端末装置の内部基板、あるいは、当該携帯端末装置本体ケースの内側あるいは近傍に実装される。このピックアップコイル６１は、自動改札装置Ｂからの送信キャリアと同等な周波数に同調される。このピックアップコイル６１に誘起された送信キャリア信号は整流回路６２により直流電圧に変換される。この変換された直流電圧はコンパレータ６３に送られる。コンパレータ６３は、整流回路６２の出力電圧を事前に設定された検出基準電圧と比較し、検出基準電圧よりも高い直流電圧が発生したときに検出信号６４を発生させる。
【００４１】
すなわち、コンパレータ６３は、自動改札装置Ｂからの送信キャリアをピックアップコイル６１を介して検知することにより、当該携帯端末装置が自動改札装置Ｂに対し所定距離まで接近したことを検出する検出手段を構成している。
【００４２】
コンパレータ６３から出力される検出信号６４はＣＰＵ１４に送られる。ＣＰＵ１４は、検出信号６４を受取ると、動作プログラムの切換えを行なうことにより、携帯電話機能を一時的に中断（あるいは、停止）させて、非接触式ＩＣカード５１と自動改札装置Ｂとの通信を優先させる。
【００４３】
コンパレータ６３における検出基準電圧は、非接触式ＩＣカード５１が動作を開始する電源電圧よりも充分に小さい値に設定することで、非接触式ＩＣカード５１が活性化する前に送信キャリアを検知し、携帯電話機能を一時中断（あるいは、停止）させることが可能である。したがって、自動改札装置Ｂと非接触式ＩＣカード５１との通信性能が著しく向上することになる。
【００４４】
このように、携帯電話機としての携帯端末装置に対し非接触式ＩＣカードを着脱可能にし、非接触式ＩＣカード５１の使用時は携帯電話機能を一時中断させるようにしたものであり、携帯電話機能部１１は非接触式ＩＣカード５１との通信は行なわない。
【００４５】
このように、上記実施の形態によれば、携帯電話機としての携帯端末装置に非接触式ＩＣカード機能（非接触式ＩＣカード）を搭載し、携帯端末装置使用時に自動改札装置を通過する際、通過する手前で自動改札装置からの送信キャリアを検知することで、携帯電話機能を一時中断（あるいは、停止）し、非接触式ＩＣカード機能（非接触式ＩＣカード）と自動改札装置との通信を優先させることにより、携帯端末装置使用時の不要な周波数帯域（８００Ｍ、あるいは１．５ＧＨｚからの高調波）を発生させない、または受取らないようにでき、非接触式ＩＣカード機能（非接触式ＩＣカード）と自動改札装置との通信性能を著しく向上させることできる。
【００４６】
なお、前記実施の形態では、携帯端末装置として携帯電話機に適用した場合について説明したが、本発明はこれに限定されるものではなく、たとえば、携帯電話機能あるいは携帯電話機と同等な無線通信機能を有するＰＤＡと称される携帯情報機器などにも同様に適用できる。
【００４７】
また、第１の外部装置も携帯電話基地局に限らず、同等な無線通信機能を有する他の装置であってもよい。さらに、第２の外部装置も非接触式ＩＣカード対応の自動改札装置に限らず、たとえば、非接触式ＩＣカード対応のパーソナルコンピュータなどであってもよい。
【００４８】
【発明の効果】
以上詳述したように本発明によれば、たとえば、携帯電話機などの携帯端末装置に乗車券としての非接触式ＩＣカードを搭載した場合に、携帯端末装置の使用時に自動改札装置を通過する際、携帯端末機能を一時中断あるいは停止し、非接触式ＩＣカードと自動改札装置との通信を優先させることで、非接触式ＩＣカードと自動改札装置との通信性能を著しく向上させることできる携帯端末装置を提供できる。
【図面の簡単な説明】
【図１】本発明の第１の実施の形態に係る携帯端末装置の構成を概略的に示すブロック図。
【図２】本発明の第２の実施の形態に係る携帯端末装置の構成を概略的に示すブロック図。
【図３】本発明の第３の実施の形態に係る携帯端末装置の構成を概略的に示すブロック図。
【図４】非接触式ＩＣカードの構成を概略的に示すブロック図。
【図５】本発明の第４の実施の形態に係る携帯端末装置の構成を概略的に示すブロック図。
【符号の説明】
Ａ…携帯電話基地局（第１の外部装置）、Ｂ…自動改札装置（第２の外部装置）、１１…携帯電話機能部（携帯端末機能部）、１２…アンテナ、１３…制御部、１４，３４…ＣＰＵ、１５，３５…メモリ、１６…バッテリ、２１…非接触式ＩＣカード機能部、２２，４２…送受信アンテナ、２３，４４…変復調部、２４…ＣＰＵ、２５…メモリ、２６，４５，６２…整流回路、２７，４６，６３…コンパレータ、４１…非接触式ＩＣカードリーダライタ機能部、４３…送受信部、５１…非接触式ＩＣカード、６１…ピックアップコイル。
【図１】
2004048251.tif 000003
【図２】
2004048251.tif 000004
【図３】
2004048251.tif 000005
【図４】
2004048251.tif 000006
【図５】
2004048251.tif 000007